(57)【要約】【課題】個人情報を含む原稿の集約コピーを確実に実行することで無駄な印刷を回避できる画像形成装置を提供する。【解決手段】画像形成装置１０は、圧板において原稿を読み取るスキャナエンジン１０５と、スキャナエンジン１０５が読み取った原稿の画像データを蓄積するＲＡＭ１０３と、読み取る原稿の総枚数を予め規定する所定のコピーモードに従い、ＲＡＭ１０３に蓄積された画像データを集約する画像処理部１０８と、前記所定のコピーモードに従い、前記画像データを印刷出力するプリンタエンジン１１４と、指示入力を受け付ける操作部１１１と、を備える。スキャナエンジン１０５が読み取った原稿の総枚数が前記所定のコピーモードにより予め規定された総枚数よりも少なく、かつ、操作部１１１が所定時間内に読取指示を入力しない場合、ＲＡＭ１０３に蓄積された画像データは破棄される。【選択図】        図１
2010130561.tif 000002
【特許請求の範囲】
【請求項１】
圧板において原稿を電子的に読み取る読取手段と、
前記読取手段が読み取った原稿の画像データを蓄積する蓄積手段と、
読み取る原稿の総枚数を予め規定する所定のコピーモードに従い、前記蓄積手段に蓄積された画像データを１枚の印刷用紙に収まるように集約する集約手段と、
前記所定のコピーモードに従い、前記画像データを印刷出力する出力手段と、
指示入力を受け付ける入力手段と、
前記読取手段が読み取った原稿の総枚数が前記所定のコピーモードにより予め規定された総枚数よりも少なく、かつ、前記入力手段が所定時間内に読取指示の入力を受け付けない場合、前記蓄積手段に蓄積された画像データを破棄し処理を終了する破棄判定手段と、
を備えることを特徴とする画像形成装置。
【請求項２】
前記所定のコピーモードは、前記予め規定された原稿の総枚数を２枚とし、等倍集約で片面印刷する第１のコピーモードであることを特徴とする請求項１に記載の画像形成装置。
【請求項３】
前記所定のコピーモードは、前記予め規定された原稿の総枚数を３枚とし、１、２枚目を等倍集約して表面に印刷し、３枚目を集約せずに裏面に印刷する第２のコピーモードであることを特徴とする請求項１に記載の画像形成装置。
【請求項４】
前記入力手段は、前記所定のコピーモードとして、前記予め規定された原稿の総枚数を２枚とし、等倍集約で片面印刷する第１のコピーモード、および、前記予め規定された原稿の総枚数を３枚とし、１、２枚目を等倍集約して表面に印刷し、３枚目を集約せずに裏面に印刷する第２のコピーモードのいずれかの選択を受け付けることを特徴とする請求項１に記載の画像形成装置。
【請求項５】
前記入力手段から所定の指示入力がない場合は前記第１のコピーモードを実行し、前記入力手段から前記所定の指示入力があった場合は前記第２のコピーモードを実行した後、前記第１のコピーモードに戻ることを特徴とする請求項４に記載の画像形成装置。
【請求項６】
前記入力手段は、前記予め規定された原稿の総枚数より少ない画像データの印刷出力を許可する出力許可指示の入力を受け付け、
前記出力許可指示の入力があった場合に、前記破棄判定手段を無効化する破棄判定無効化手段をさらに備えることを特徴とする請求項１〜５のいずれか１項に記載の画像形成装置。
【請求項７】
前記表示手段は、前記所定のコピーモードの実行中は、前記出力手段が印刷出力を行う前に、印刷画像をプレビュー表示するプレビュー表示手段をさらに備えることを特徴とする請求項１〜６のいずれか１項に記載の画像形成装置。
【請求項８】
前記出力手段は、前記読取手段が読み取った原稿のうち、１枚目をカラーで出力し、２枚目以降をモノクロで出力することを特徴とする請求項１〜７のいずれか１項に記載の画像形成装置。
【請求項９】
前記集約手段が集約を行ったか否かおよび前記出力手段がカラーまたはモノクロのいずれで出力したかにより、読取手段が読み取った原稿の枚数に応じて、課金額を変更して課金する課金手段をさらに備えることを特徴する請求項１〜８のいずれか１項に記載の画像形成装置。
【請求項１０】
画像形成装置で実行される画像形成方法において、
前記画像形成装置の圧板において読取手段によって電子的に原稿を読み取る読取工程と、
読み取った原稿の画像データを蓄積手段に蓄積する蓄積工程と、
前記読取手段によって読み取られた原稿の読取総枚数が、所定のコピーモードにおいて予め規定された総枚数に達したか否かを判定する比較判定工程と、
前記比較判定工程において、前記読取総枚数が前記予め規定された総枚数に達していないと判定された場合、所定時間内にさらに前記読取手段によって他の原稿の読取がおこなわれなければ、前記蓄積手段に蓄積された前記画像データを破棄して処理を終了し、前記読取総枚数が前記予め規定された総枚数に達したと判定された場合、前記所定のコピーモードに従い前記蓄積手段に蓄積された前記画像データを１枚の印刷用紙に収まるように集約する画像処理工程と、
集約された前記画像データを印刷出力する印刷出力工程と、
を含むことを特徴とする画像形成方法。
【請求項１１】
前記比較判定工程において、前記原稿の前記読取総枚数が、前記所定のコピーモードにおいて予め規定された総枚数である２枚に達したと判定された場合、
前記画像処理工程において、読み取った２枚の原稿の画像データを印刷用紙の片面に収まるように等倍集約し、
前記印刷出力工程において、等倍集約した前記画像データを片面印刷することを特徴とする請求項１０に記載の画像形成方法。
【請求項１２】
前記比較判定工程において、前記原稿の前記読取総枚数が、前記所定のコピーモードにおいて予め規定された総枚数である３枚に達したと判定された場合、
前記画像処理工程において、読み取った１、２枚目の原稿の画像データを等倍集約し、読み取った３枚目の原稿の画像データは集約せず、
前記印刷出力工程において、等倍集約した前記１、２枚目の原稿の画像データを表面に、前記画像処理工程において集約しなかった前記３枚目の原稿の画像データを裏面に印刷出力することを特徴とする請求項１０に記載の画像形成方法。
【請求項１３】
前記所定のコピーモードに予め規定された総枚数より少ない画像データの印刷出力を許可することを示す出力許可指示を、入力手段を介して受け付け、前記破棄判定工程を無効化する破棄判定無効化工程をさらに備えることを特徴とする請求項１０〜１２のいずれか１項に記載の画像形成方法。
【請求項１４】
前記印刷出力工程において、前記読取手段によって読み取られた１枚目の原稿をカラー出力し、２枚目以降の原稿をモノクロ出力することを特徴とする請求項１０〜１３のいずれか１項に記載の画像形成方法。
【請求項１５】
前記画像処理工程において集約を行ったか否かおよび前記印刷出力工程においてカラーまたはモノクロのいずれで出力したかにより、読み取った原稿の枚数に応じて課金額を変更して課金する課金工程をさらに備えることを特徴する請求項１０〜１４のいずれか１項に記載の画像形成方法。
【請求項１６】
請求項１０〜１５のいずれか１項に記載の画像形成方法をコンピュータに実行させるための画像形成プログラム。
【発明の詳細な説明】
【技術分野】
【０００１】
本発明は、画像形成装置、画像形成方法および画像形成プログラムに関し、より詳しくは、個人情報を含む原稿の集約コピーを確実に実行することで無駄な印刷を回避できる画像形成装置、画像形成方法および画像形成プログラムに関する。
【背景技術】
【０００２】
従来、複数枚の原稿を読み取り、集約して１枚にまとめて印刷出力する技術（以下、集約コピーと称する。）が知られている。複数枚の原稿の読み取りは、自動原稿送り装置（ＡＤＦ：Auto Document Feeder）等を使用して自動的に原稿の給紙を行ったり、手動で原稿ガラス上に原稿を配置して１枚ずつ読み取らせたりすることで行われる。ＩＤカード等、ＡＤＦでは搬送できない形状の原稿は手動で原稿ガラス上に配置して読み取ることが一般的である。
【０００３】
原稿ガラス上で複数枚の原稿を１枚ずつ手動で配置して読み取らせる集約コピーでは、全ての原稿の読取が終了したか否かを自動的に装置が判断することができない。そのため、予め所定の読取時間を設定したり、特定のボタンの押下等によりユーザがトリガをかけたりして、装置に、全ての原稿の読み取りの終了を知らせている。具体的には、装置は、所定の読取時間内に次の原稿の読み取りが開始されない場合またはトリガが発生しない場合に、読取終了と判断して印刷出力を行う。
【０００４】
ところで、今日、個人情報が記載された運転免許証等の書類を複写機でコピーして、個人認証のために利用する機会が多い。個人情報が含まれた書類をコピーする場合には、個人情報が不正利用されたり流出したりすることを防止するため、特に配慮が要求される。そのため、個人情報を含む書類の複写のための画像処理技術が開発されている。
【０００５】
例えば、特許文献１の画像処理装置は、個人情報を含む所定サイズの原稿をコピーする際に、原稿に含まれる所望の情報のみを選択的に出力する。具体的には、所定サイズの原稿（運転免許証等）に含まれる個人情報の座標位置を保持しておくことで、見せたくない情報にマスキング等の処理を施して出力する。
【０００６】
また、特許文献２の画像処理装置も同様に、入力画像から情報媒体のサイズを算出して情報媒体の種類を特定し、情報媒体の種類に応じて個人情報を表す特有画像の位置を判定して、特有画像の存在する領域をマスクする。これによって、不所望の画像がコピーされることを防止できる。
【０００７】
【特許文献１】特開２００７−０７４０８８号公報
【特許文献２】特開２００８−１９９４２８号公報
【発明の開示】
【発明が解決しようとする課題】
【０００８】
しかし、特許文献１、２の画像処理装置は、不所望の情報が印刷されないようにすることはできるが、画像データの読取・蓄積が完了していない場合に誤って個人情報の印刷を行ってしまうことを防止できない。すなわち、手動で原稿ガラス上に原稿を配置して１枚ずつ原稿を読み取らせ、読み取った複数枚の原稿を集約コピーする場合には、装置が読み取り終了を正しく判断できないために、まだ読取が終了していない場合でも、既に蓄積した画像データのみで出力を行ってしまうことがあるが、特許文献１、２の画像処理装置は、かかる事態の防止については考慮されていない。
【０００９】
個人情報を含む書類等は管理が重要であり、不要なコピーが発生することは好ましくない。したがって、画像データの読取・蓄積が完了した場合にのみ印刷を行い、不要なコピーの発生を防止することが望ましい。
【００１０】
本発明は、上記に鑑みてなされたものであって、個人情報を含む原稿を集約コピーする際に、所望の枚数の原稿の読み取りが完了しなければ、既に読取・蓄積した画像データを破棄して処理を中止することにより、個人情報を含む不要なコピーの発生を防止することができる画像形成装置、画像形成方法および画像形成プログラムを提供することを目的とする。
【課題を解決するための手段】
【００１１】
上述した課題を解決し、目的を達成するために、本発明にかかる画像形成装置は、圧板において原稿を電子的に読み取る読取手段と、前記読取手段が読み取った原稿の画像データを蓄積する蓄積手段と、読み取る原稿の総枚数を予め規定する所定のコピーモードに従い、前記蓄積手段に蓄積された画像データを１枚の印刷用紙に収まるように集約する集約手段と、前記所定のコピーモードに従い、前記画像データを印刷出力する出力手段と、指示入力を受け付ける入力手段と、前記読取手段が読み取った原稿の総枚数が前記所定のコピーモードにより予め規定された総枚数よりも少なく、かつ、前記入力手段が所定時間内に読取指示の入力を受け付けない場合、前記蓄積手段に蓄積された画像データを破棄し処理を終了する破棄判定手段と、を備えることを特徴とする。
【００１２】
また、本発明にかかる画像形成方法は、画像形成装置で実行される画像形成方法において、前記画像形成装置の圧板において読取手段によって電子的に原稿を読み取る読取工程と、読み取った原稿の画像データを蓄積手段に蓄積する蓄積工程と、前記読取手段によって読み取られた原稿の読取総枚数が、所定のコピーモードにおいて予め規定された総枚数に達したか否かを判定する比較判定工程と、前記比較判定工程において、前記読取総枚数が前記予め規定された総枚数に達していないと判定された場合、所定時間内にさらに前記読取手段によって他の原稿の読取がおこなわれなければ、前記蓄積手段に蓄積された前記画像データを破棄して処理を終了し、前記読取総枚数が前記予め規定された総枚数に達したと判定された場合、前記所定のコピーモードに従い前記蓄積手段に蓄積された前記画像データを１枚の印刷用紙に収まるように集約する画像処理工程と、集約された前記画像データを印刷出力する印刷出力工程と、を含むことを特徴とする。
【００１３】
また、本発明にかかる画像形成プログラムは、上記の画像形成方法をコンピュータに実行させることを特徴とする。
【発明の効果】
【００１４】
本発明によれば、個人情報を含む原稿を集約コピーする際に、所望の枚数の原稿の読み取りが完了しなければ、既に読取・蓄積した画像データを破棄して処理を中止することにより、個人情報を含む不要なコピーの発生を防止することができるという効果を奏する。
【発明を実施するための最良の形態】
【００１５】
以下に添付図面を参照して、この発明にかかる画像形成装置、画像形成方法および画像形成プログラムの最良な実施の形態を詳細に説明する。
（第１の実施の形態）
図１は、第１の実施の形態にかかる画像形成装置の構成を示すブロック図である。図１に示す画像形成装置１０はコピー機能を有し、ＣＰＵバス１００、ＣＰＵ（Central Processing Unit）１０１、ＲＯＭ（Read-Only Memory）１０２、ＲＡＭ（Random Access Memory）１０３、ＲＡＭ制御部１０４、スキャナエンジン１０５、スキャナ制御部１０６、画像読取部１０７、画像処理部１０８、課金部１０９、ＵＡＲＴ（Universal Asynchronous Receiver Transmitter）１１０、操作部１１１、操作部Ｉ／Ｆ制御部１１２、プリンタ制御部１１３、プリンタエンジン１１４、画像書込部１１５、ＮＶＲＡＭ（Non-Volatile Random Access Memory）１１６を備える。
【００１６】
ＣＰＵ１０１は、ＣＰＵバス１００を介して上記各部に指示を出し上記各部を制御する。ＣＰＵ１０１は１つでも複数でもよく、複数のＣＰＵを搭載することで処理性能を向上させることもできる。画像形成装置１０が実行するプログラムはＲＯＭ１０２に格納されている。ＲＡＭ１０３は、ＲＡＭ制御部１０４を介してＣＰＵ１０１等と接続され、各部の処理データを一時的に保存する。ＮＶＲＡＭ１１６は、不揮発性メモリであり、機器固有の情報（例えばコピー枚数のカウンタ値等）を保持する。
【００１７】
スキャナエンジン１０５は、画像を読み取るための機構であり、スキャナ制御部１０６の制御を受けて原稿画像を読み取る。読み取られた原稿画像のデータは、画像読取部１０７に送られ、さらに画像処理部１０８にてデジタル信号処理等の処理が適宜行われる。
【００１８】
プリンタエンジン１１４は、プリンタ制御部１１３の制御を受けて画像書込部１１５からの印刷データ入力を受け付け、画像の印刷出力を行う機構である。プリンタエンジン１１４は、レーザー方式、ＬＥＤ方式、インクジェット方式等の方式で画像を形成することができる。
【００１９】
操作部１１１は、操作部Ｉ／Ｆ制御部１１２の制御を受けて、画像形成装置１０のユーザからの入力を受け付け、かつ、ユーザに対して情報を提示するマンマシン・インタフェース部である。操作部１１１は、機器操作のためのボタンや機器状態表示のためのインジケータ（ＬＥＤ、ＬＣＤ等の表示器、スピーカ等）を備える。
【００２０】
課金部１０９は、内部に搭載されたＣＰＵ（図示せず）と表示部（図示せず）とを備え、金銭の投入を受け付け、残金額を表示する。課金部１０９内のＣＰＵとＣＰＵ１０１とはＵＡＲＴ１１０およびＣＰＵバス１００を介して接続される。これにより、ＣＰＵ１０１は課金部１０９が受け付けた金銭の金額情報を取得し、課金部１０９に残金額の通知を行う。課金部１０９は、所定の料金の投入があった場合にのみ画像形成装置１０を動作させるためのものであり、省略することもできる。課金部１０９は、コインラック等で構成することができる。
【００２１】
上記の画像形成装置１０において、スキャナエンジン１０５は圧板において電子的に原稿を読み取る読取手段、ＲＡＭ１０３は読取手段が読み取った原稿の画像データを蓄積する蓄積手段、画像処理部１０８は蓄積手段に蓄積された画像データを集約する集約手段、プリンタエンジン１１４は画像データを印刷出力する出力手段、操作部１１１は指示入力を受け付ける入力手段、ＣＰＵ１０１は所定の条件が満たされた場合に蓄積手段に蓄積された画像データを破棄し処理を終了する破棄判定手段としても機能する。
【００２２】
次に、画像形成装置１０の画像読取処理部、すなわち、スキャナエンジン１０５、画像読取部１０７、画像処理部１０８につきさらに詳細に説明する。図２に画像読取処理部の詳細を示す。図２中、圧板２０１が原稿ガラス２０２上に配置されている。圧板２０１は、原稿ガラス２０２上に載置された原稿を押さえ、原稿ガラス２０２を保護する役割を果たす。原稿ガラス２０２の下には原稿に光を照射するための露光ランプ２０３が配置されている。露光ランプ２０３から照射された光は原稿ガラス２０２上の原稿によって反射された後、ミラー２０４、２０５、２０６によって反射されて、レンズ２０７に入射し集光されてＣＣＤ２０８上で結像する。ＣＣＤ２０８は、結像された光をアナログ電気信号に変換し、スキャナ画像処理部２１３（図１の画像処理部１０８に相当）へ送る。露光ランプ２０３とミラー２０４とは、走行体２１２上に配置されており、走行体２１２に装着されたワイヤ２１１がモータ２１４の回転により図中矢印方向に引っ張られることにともない、同矢印方向（副走査方向）に移動して原稿面の副走査を行う。なお、図２に示す画像読取処理部は、一例にすぎず、他の構成をとってもよいことはいうまでもない。
【００２３】
図２の原稿ガラス２０２を上から見た図を図３−１に示す。原稿ガラス２０２上面には原稿読取領域と読取基準位置とが規定されている。本実施の形態においては、最大読取領域サイズをＡ４とし、図３−１の左上端を読取基準位置とする。また、図３−１中、左右方向を副走査方向、上下方向を主走査方向とする。ここでは、主走査方向に原稿の短辺をあわせて置くものとする。この場合、Ａ４原稿の読取領域は図３−２、Ａ５原稿の読取領域は図３−３のようになる。
【００２４】
図３−１、図３−２、図３−３に示すような原稿ガラス２０２を介して複数の原稿を読み取り集約コピーした場合の例を図４−１から図４−３に示す。まず、図４−１の（ａ）に示すような２枚のＡ５原稿Ｄ１、Ｄ２を図３−３に示すように原稿ガラス２０２上の原稿読取領域内に１枚ずつ載置して読み取り、等倍集約コピーすると、図４−１の（ｂ）に示すようなＡ４サイズのコピーが得られる。また、図４−２の（ａ）に示すような１枚のＡ５原稿Ｄ１を等倍集約コピーすると、図４−２の（ｂ）に示すように、Ａ４サイズ転写紙の下半分は空白のまま出力される。また、図４−３の（ａ）に示すような４枚のＡ５原稿Ｄ１、Ｄ２、Ｄ３、Ｄ４を等倍集約コピーすると、Ａ４転写紙の表側にＤ１、Ｄ２が、裏側にＤ３、Ｄ４がそれぞれ印刷されて図４−３の（ｂ）に示すようなコピーが得られる。なお、等倍集約コピー時には、画像の回転処理等もあわせて実行される。
【００２５】
次に、操作部１１１の詳細な構成を図５に示す。上述の通り、操作部１１１は、ユーザからの入力を受け付ける入力手段として、また、ユーザに情報を提示する表示手段として機能する。図５に示すように、操作部１１１は、表示部５０２、テンキー５０３、リセットキー５０４、スタートキー５０５、アプリケーション切替キー５０６、クリアストップキー５０７、試しコピーキー５０８、および初期設定キー５０９を備える。表示部５０２は、文字列やビットマップ画像等を表示する。テンキー５０３は、原稿を複写する部数等の入力操作に使用される。リセットキー５０４は、モードのリセット時等に使用される。スタートキー５０５は、コピーや原稿読取の開始を指示するための操作に使用される。アプリケーション切替キー５０６は、コピー、ファックス、プリンタ、スキャナの４つのキーからなり、コピー機能、ファックス機能、プリンタ機能、スキャナ機能を切り替えるために使用される。クリアストップキー５０７は、コピー動作の中断やコピー枚数のリセットに使用される。試しコピーキー５０８は、コピー条件設定後の仕上がりイメージを確認するために１部だけのコピーを行う指示に使用される。初期設定キー５０９は、コピー機能、ファックス機能、プリンタ機能、スキャナ機能のそれぞれについて使用する設定の初期値設定のために使用される。なお、図５に示す操作部１１１は、ハードキーでキーボードを構成するものとしているが、液晶タッチパネル上に表示されるソフトキーボードも同様に使用できる。なお、操作部１１１の各部は画像形成装置の備える機能に応じて適宜追加・変更・省略できる。
【００２６】
図５に示す操作部１１１において、ユーザがアプリケーション切替キー５０６を用いて「コピー」を選択すると、図５に示すように表示部５０２内には、コピー条件設定画面が表示される。ユーザは、コピー条件設定画面を使用して、複写紙のサイズや画質、コピーモード等を選択することができる。図５中、「簡単コピー」および「ＩＤカードコピー」がコピーモードである。図５においては、ユーザが「Ａ５」、「カラー」、「高速」、「ＩＤカードコピー」を選択した状態を示している。第１の実施の形態において実行される「ＩＤカードコピー」モードを、以下「第１のコピーモード」とも呼ぶ。
【００２７】
図５の「簡単コピー」とは、特に動作を限定しない一般的なコピーモードを指し、「ＩＤカードコピー」モード（第１のコピーモード）とは、免許証等の所定のＩＤカードの表面および裏面をＡ５用紙対応読取領域に順次配置して読み込み、読み込んだデータを等倍集約してＡ４用紙の片面に印刷するものを指す。ＩＤカードコピーモード選択時には、一定の条件を固定化し、変更できないように設定している。このように、本実施の形態においては、一定の条件が予め設定されたコピーモードを容易に選択できるようにしてユーザビリティを向上させている。ただし、使用状況、ユーザの種類等により、固定条件とは別にユーザが自由に選択できる条件を設けることもできる。また、用途に応じて単一のコピーモードしかもたない画像形成装置も構成可能である。
【００２８】
図６に「ＩＤカードコピー」モードでＩＤカードをコピーする際の手順を概略的に示す。まず、ユーザは、「ＩＤカードコピー」モードを選択する。そして、免許証等のＩＤカードの表側を原稿ガラス面に向けて原稿ガラスの読取領域上に載置する。本実施の形態では、Ａ５用紙に対応する読取領域内にＩＤカードを載置する。Ａ５用紙に対応する読取領域は、図６に示すように、副走査読取幅が２１０ｍｍ、主走査読取幅が１４８ｍｍである。ＩＤカードが載置され読取開始指示が入力されると、画像形成装置１０はＩＤカードの表面の画像を読み取りそのデータを蓄積する。次に、ユーザはＩＤカードの裏面を原稿ガラス面に向けて原稿ガラスの読取領域上に載置し読取開始指示を入力する。画像形成装置１０は、表面と同様にＩＤカードの裏面の画像を読み取りそのデータを蓄積する。表面および裏面の画像データが蓄積されると、画像形成装置１０は、二つの画像データを等倍集約してＡ４用紙に対応する領域に配置して印刷・出力する。最終的に得られるコピーは、Ａ４用紙（２１０ｍｍ×２９７ｍｍ）にＩＤカードの表面と裏面とが並べて配置されたものとなる（図６を参照）。なお、各原稿の間には仕切り線が印刷されるようにしてもよい。
【００２９】
次に、「ＩＤカードコピー」モードでのコピー処理手順を図７のフローチャートを参照して詳細に説明する。ユーザが操作部１１１上で「ＩＤカードコピー」モードを選択し、スタートキー５０５を押下すると図７のＩＤカードコピー処理が開始される。まず、ステップＳ７０１において、ＩＤカード総読み取り回数Ｓが２に設定される。ＩＤカード総読み取り回数Ｓは、読み取るＩＤカード面の総数である。次にステップＳ７０２において、ＩＤカード読み取り回数ｓが１に設定される。ＩＤカード読み取り回数ｓは、その後に行われる読み取り処理が何番目の読み取り処理であるかを示す。ＩＤカード読み取り回数ｓが設定されると、ステップＳ７０３で原稿の読み取りおよび蓄積が実行される。上記の通り、本実施の形態においては、ＩＤカードの各面はＡ５用紙対応読取領域で読み取られる。１面目の読み取りおよび蓄積が終了すると、ＩＤカード読み取り回数ｓがインクリメントされる（ステップＳ７０４）。そして、インクリメントしたＩＤカード読み取り回数ｓとＩＤカード総読み取り回数Ｓとを比較する（ステップＳ７０５）。インクリメントしたＩＤカード読み取り回数ｓがＩＤカード総読み取り回数Ｓよりも大きい場合（ステップＳ７０５、Ｙｅｓ）、必要な読み取りは終了しているので、すでに読み取った二つの画像のデータを結合して（ステップＳ７０６）、画像を印刷し（ステップＳ７０７）、処理を終了する。この場合の印刷出力は、図６に示した出力と同様である。
【００３０】
これに対し、インクリメントしたＩＤカード読み取り回数ｓがＩＤカード総読み取り回数Ｓより大きくない場合（すなわち、ｓとＳとが等しい場合：ステップＳ７０５、Ｎｏ）、２枚目の原稿の読取・蓄積が未完了であるため、２枚目の原稿、すなわちＩＤカードの２面目（裏面）をセットするよう促す画面が表示部５０２に表示される（ステップＳ７０８）。このとき、表示部５０２には図８−１に示すようなメッセージが表示される。表示と同時に所定時間（例えば３０秒）のカウントが開始される。所定時間内に裏面の読取開始指示があれば（例えば、ユーザがスタートキー５０５を押下すれば）（ステップＳ７０９、Ｙｅｓ）、ステップＳ７０３に戻り、Ａ５用紙対応読取領域から裏面画像を読み取って画像データを蓄積する。ＩＤカードの表面、裏面の読み取り・蓄積が終了した時点で、ＩＤカード読み取り回数ｓをインクリメントすると（ステップＳ７０４）、ｓ＝３＞Ｓとなるので（ステップＳ７０５、Ｙｅｓ）、二つの画像のデータを結合して（ステップＳ７０６）、画像を印刷し（ステップＳ７０７）、処理を終了する。この場合の印刷出力は、図６に示した出力と同様である。
【００３１】
ステップＳ７０９において、所定時間内に裏面の読取開始指示がない場合（例えば、ユーザがスタートキー５０５を押下せず放置していれば）（ステップＳ７０９、Ｎｏ）、既に読取・蓄積した１枚目の画像を破棄し（ステップＳ７１０）処理を終了する。この場合は、印刷出力はなく、画像を破棄し処理を終了した旨を通知するため、図８−２に示すように「ＩＤカードコピーを強制終了しました。」等のメッセージが表示部５０２に表示される。
【００３２】
個人認証のために使用されるＩＤカード等についてコピーが必要となる場合、表面・裏面がそろってはじめて個人認証が可能となる場合が多い。例えば、運転免許証を個人認証に利用する場合、裏面に記載がないとしても、住所変更等がないことを証明するために裏面のコピーも必要である。このような場合、通常の集約コピーとは異なり、表面のみでの印刷、裏面のみでの印刷では無意味である。そのため、上記のように１面のみのデータしか取得されない場合は印刷出力せず、データを破棄することとしている。これによって、不完全なコピー出力が防止されると同時に、個人情報の流出や紙の無駄を防止することができる。
【００３３】
なお、原稿のセットおよび読取開始指示のための所定時間は、合理的な範囲内で変更できるようにしてもよいし、管理者権限を持つユーザのみが変更できるようにしてもよい。
【００３４】
（変形例）
上記第１の実施の形態においては、常にＩＤカードの表面・裏面の印刷が必要である場合に対応する画像形成装置について説明した。しかし、ユーザのニーズに応じて、１面のみを印刷することを許可できるようにすると便宜である。例えば、個人認証用のコピーは信頼できる店員等しか行わない場合等、状況によっては、裏面に記載がないことを確認して裏面のコピーを省略しても問題はない。かかる場合にインクの節約等のため１面のみの印刷を許可できるようにしてもよい。そこで実施の形態１の変形例としてかかる場合の処理について図９のフローチャートを参照して説明する。
【００３５】
図９において、まず、「ＩＤカードコピー」モードを選択すると、原稿１枚のみのコピーが許可されるか否かを判断する（ステップＳ９０１）。１枚のみのコピーを許可するか否かについては、画像形成装置自体に固定設定してもよいし、初期設定において選択できるようにしてもよいし、管理者権限をもつユーザのみが設定変更できるようにしてもよい。
【００３６】
１枚のみのコピーが許可されない場合（ステップＳ９０１、Ｎｏ）、以降の処理は図７と同様である（ステップＳ９０２、Ｓ９０４〜Ｓ９１３：なお、この場合Ｓ９０８は常にＮｏとなる）。これに対し、１枚のみのコピーが許可される場合（ステップＳ９０１、Ｙｅｓ）、ＩＤカード総読み取り回数Ｓが１に設定される（ステップＳ９０３）。そして、ＩＤカード読み取り回数ｓが１に設定され（ステップＳ９０４）、Ａ５対応読取領域における原稿を読み取って蓄積する（ステップＳ９０５）。次に、ＩＤカード読み取り回数ｓがインクリメントされると（ステップＳ９０６）、ｓ＝２、Ｓ＝１となるため、両者を比較すると、ｓが大きい（ステップＳ９０７、Ｙｅｓ）。また、Ｓ＝１であるからステップＳ９０８においてＹｅｓとなる（ステップＳ９０８、Ｙｅｓ）。
【００３７】
ここで、原稿１枚のコピーを許可していても、２枚目のコピーを禁止する必要はない。そこで、ステップＳ９０８においてＹｅｓとなった場合には、ステップＳ９１４に進んで、原稿１枚目で読み取りを終了するか、または、原稿２枚目をセットするか、の選択を促す画面を表示部５０２に表示する（ステップＳ９１４）。この場合の表示は、図８−１と同様であるが、加えて「表面のみの場合は＃キーを押してください」等のメッセージが表示される。そして、図７の処理におけるステップＳ７０９と同様、所定時間内に読取開始指示があれば（ステップＳ９１５、Ｙｅｓ）、ＩＤカード読み取り回数Ｓを２に再設定してステップＳ９０５に戻る（ステップＳ９１６）。所定時間内に読取開始指示がない場合は（読取完了指示がある場合（＃キーの押下がある場合等）も含む：ステップＳ９１５、Ｎｏ）、読み取り終了と判断する。この場合、読み取り画像は１枚分であるため、画像の結合は不要であり、読み取った画像をそのまま印刷して（ステップＳ９１０）処理を終了する。
【００３８】
なお、原稿１枚のコピーを印刷出力する場合も、白紙ページ画像を準備しておいて白紙ページ画像と結合するようにしてもよい。この場合に印刷される画像は図１０のようになる。この場合は、図９の処理中、ステップＳ９１５でＮｏであればステップＳ９０９に進むことになる。
【００３９】
このような構成とすることで、印刷が必要な原稿面が１面である場合にも対応できる。運転免許証等の場合、裏面は備考欄となっており、特記事項がなければ印刷の必要はない。このような場合には上記変形例を利用して１面を印刷出力すればよい。また、上記変形例においては、ユーザが１枚のみの印刷を確定することができるので、それによって、裏面に対応する部分を白紙とすることができ、また、表面のみが有効面であることを確認できる。また、無駄な印刷を防止できるため、トナー、インク等の無駄が防止され、出力速度も向上する。
【００４０】
（第２の実施の形態）
上記第１の実施の形態においては、ＩＤカードの表面・裏面を無駄なく等倍集約コピーする画像形成装置について説明した。しかし、ＩＤカードの表面・裏面だけでなく、補足的な情報を合わせてコピーしたい場合も考えられる。このような場合に、１枚の複写紙の表面にＩＤカードの表面・裏面を等倍集約コピーし、複写紙の裏面に補足情報を集約処理せずにコピーする画像形成装置を第２の実施の形態として説明する。このような形式のコピー処理をここでは第２のコピーモードと呼ぶ。
【００４１】
図１１は、第２のコピーモードにおけるＩＤカードコピー処理を示すフローチャートである。図１１中、ステップＳ１１０１〜Ｓ１１０６までの処理およびステップＳ１１１１〜Ｓ１１１３までの処理は、図７のステップＳ７０１〜Ｓ７０６までの処理およびステップＳ７０８〜Ｓ７１０までの処理と同様である。図１１の処理においては、ＩＤカードの表面・裏面の画像を取得、結合した後の処理（ステップＳ１１０７〜Ｓ１１１０）が図７の処理と異なる。
【００４２】
ＩＤカードの表面・裏面の画像を取得し、結合した（ステップＳ１１０６）後、表示部５０２は、３枚目の原稿を原稿ガラス上にセットするよう促すメッセージを表示する（ステップＳ１１０７）。このときに表示部５０２に表示されるメッセージは、図８−１に示すメッセージと同様であり、例えば、「３０秒以内に補足書類をセットし、スタートキーを押して下さい」等となる。
【００４３】
所定時間内に補足書類読取開始指示があれば（例えばユーザがスタートキー５０５を押下すれば）（ステップＳ１１０８、Ｙｅｓ）、補足書類をＡ４対応読取領域から読み取って画像データを蓄積する（ステップＳ１１０９）。そして、ＩＤカードの表面・裏面から読み取った画像データを等倍集約したものを複写紙の表面に、補足書類から読み取った画像データを複写紙の裏面に印刷出力して（ステップＳ１１１０）、処理を終了する。この場合、ＩＤカードの表面・裏面を結合した画像データも、補足書類の画像データも、ともにＡ４サイズで印刷出力される。印刷されたデータの例を図１２に示す。
【００４４】
所定時間内に補足書類読取開始指示がなければ（ステップＳ１１０８、Ｎｏ）、蓄積された画像を破棄して（ステップＳ１１１３）、印刷出力は行わずに処理を終了する。この場合には、表示部５０２に、「ＩＤカード＋補足書類コピーを強制終了しました。」等のメッセージが表示される。
【００４５】
第２のコピーモードにおいて処理する補足書類とは、ＩＤカードのほかに、個人認証を補足する書類である。例えば、住所を変更した後に、住所変更手続が完了していない運転免許証をＩＤカードとして提示するのであれば、新住所に届いた郵便物や新住所の住民票等の書類を新住所を公的に確認できる補足書類として、あわせてコピーすることが考えられる。これ以外の場合にも、ＩＤカード単独では個人認証が不十分であると考えられる場合に、補足書類をあわせて印刷出力することで利便性を高めることができる。また、第２のコピーモードにおいては、１枚の複写紙の表面にＩＤカードの表面・裏面を、複写紙の裏面に補足情報をコピーすることとしているので、１枚の紙に必要な情報をまとめることができ、個人情報の管理を容易にすることができる。
【００４６】
また、補足書類の読取領域をＡ４サイズとしているため、Ａ４サイズが多い住民票等を無理なく読み取ることができ、また、葉書サイズの書類であれば最大４枚まで読み取ることができる。
【００４７】
（変形例１）
上記第２の実施の形態においては、第１の実施の形態で説明した第１のコピーモードに補足書類コピー処理を直列的に追加した第２のコピーモードにより処理するものとした。すなわち、ＩＤカードの表面・裏面の画像データを蓄積した後に、補足書類コピーを行うか否かを指示するようにした。かかる構成にかえて、第１のコピーモードをデフォルトとして、所定の指示を入力した場合のみ第２のコピーモードに切り替わるように構成することもできる。
【００４８】
かかる処理の例を図１３のフローチャートに示す。ユーザが表示部５０２を介して「ＩＤカードコピー」モードを選択すると、処理が開始される。「ＩＤカードコピー」モードに入ると自動的に第１のコピーモードに設定される（ステップＳ１３０１）。第２のコピーモードに切り替えるための指示入力は様々な形で実現できるが、操作性を高めるため容易に実行できる形態とすることが好ましい。具体的には、予め設定された所定のキーの押下等で実行される。例えば、「ＩＤカードコピー」モードに入った後に、＊キーを押下することによって、第２のコピーモードへの切替指示が行われる。このとき、表示部５０２は、切替指示を促すため、「ＩＤカード＋補足書類モードの場合は、＊キーを押してください」等のメッセージを表示する。切替指示がなく（ステップＳ１３０２、Ｎｏ）、所定時間内にコピー開始指示がない場合（ステップＳ１３０３、Ｎｏ）、処理は終了する。この場合の処理の終了は従来の「オートクリア」機能等で実現される。なお、ＩＤカードコピーモード以外のモード選択があった場合や、他の機能が選択された場合も、ＩＤカードコピーモード終了のトリガとなる。所定時間内にコピー開始指示があれば（ステップＳ１３０３、Ｙｅｓ）、図７に示す第１のコピーモードによる処理が開始される（ステップＳ１３０４）。第１のコピーモードによる処理が終了すると、ステップＳ１３０１に戻る。
【００４９】
切替指示があった場合（Ｓ１３０２、Ｙｅｓ）、第２のコピーモードに切り替わる（ステップＳ１３０５）。そして所定時間内にコピー開始指示がなければ（ステップＳ１３０６、Ｎｏ）、ステップＳ１３０１に戻る。この場合、ステップＳ１３０３でコピー開始指示がなかった場合と同様、処理を終了することとしてもよい。所定時間内にコピー開始指示があれば（ステップＳ１３０６、Ｙｅｓ）、表示部５０２は、「コピーできます」等のメッセージを表示する。この時、コピーモードが変更されたことを示すため、「ＩＤカードコピー」の表示（図５参照）が「ＩＤカードコピー（＋補足書類）」等に変化する。そして、図１１に示す第２のコピーモードによるＩＤカードコピー処理が開始される（ステップＳ１３０７）。ステップＳ１３０７の処理が終了すると、表示部５０２は「ＩＤカード＋補足書類コピーを終了しました。」等のメッセージを表示する。その後ステップ１３０１に戻る。ステップ１３０１に戻ると、コピーモードがデフォルトに戻ったことを示すため、表示部５０２の「ＩＤカードコピー（＋補足書類）」が「ＩＤカードコピー」に変化する。
【００５０】
上記変形例１では、第１のコピーモードおよび第２のコピーモードのうち実行頻度が高いのは第１のコピーモードであるという前提で、第１のコピーモードをデフォルトとし、第２のコピーモード実行後は自動的に第１のコピーモードに戻るようにしている。このように構成することで、連続してＩＤカードコピーを実行する場合の操作性を高めることができる。第２のコピーモードの方が実行頻度が高い環境下であれば、第２のコピーモードをデフォルトに設定すればよい。
【００５１】
なお、第２の実施の形態においても、第１の実施の形態の変形例と同様に規定枚数よりも少ない枚数の原稿の画像データの印刷出力を許可できるようにすることも可能である。
【００５２】
さらに、上記第１の実施の形態および第２の実施の形態のそれぞれについて、以下のように変更を加えることもできる。
【００５３】
（変形例２）
運転免許証等のＩＤカードは写真を含む表面についてはカラーコピーが望ましいが、裏面については白黒コピーで十分な場合がある。かかる場合に、必要なページのみをカラー印刷することでトナーやインクの無駄を防止することができる。
【００５４】
そこで、例えば、図１１に示すフローチャートにおいて、ＩＤカードの表面読取時にはカラーで読み取り、裏面読取時および補足情報読取時には白黒で読み取るように変更を加えることができる。すなわち、ステップＳ１１０３においてＩＤカードの表面を読み取る際は初めからカラーで読み取るように設定する。そしてステップＳ１１１２でＹｅｓの場合にステップＳ１１０３に戻る場合には（ＩＤカードの裏面を読み取る際には）白黒で読み取るように設定する。さらに、ステップＳ１１０９で補足情報を読み取る際には初めから白黒で読み取るように設定する。
【００５５】
このようにカラーで読み取るか白黒で読み取るかが処理内容に依存して予め決定されている場合には、操作部１１１にカラースタートキー、モノクロスタートキーが備えられていても、それぞれ単なるスタートキーとして機能するよう制御する。
【００５６】
ただし、モノクロ・カラーの切替がスタートキーとは別のキーで行われる構成の場合には、ユーザがあえてコピーモードのデフォルト設定とは異なる指示を与えることで、該指示にしたがってカラー、モノクロを切り替えるように構成してもよい。
【００５７】
（変形例３）
また、図１に示した課金部１０９の動作として、上述した画像形成装置１０の機能特有の課金方法を適用することもできる。以下、これを変形例３として説明する。
【００５８】
変形例２にかかる画像形成装置では、１枚の用紙内において、カラー領域とモノクロ領域とを明確に区別する。そこで、入力原稿のサイズだけでなく、カラー・モノクロ出力を区別して課金額を変更することもできる。図１４に示すように、例えば、入力原稿・出力用紙がともにＡ４サイズの場合には、カラー２０円、モノクロ１０円とし、Ａ５サイズの入力原稿を等倍集約してＡ４出力とする場合には、Ａ５入力原稿１枚あたりカラー１０円、モノクロ５円とする。具体的には、ＩＤカードの表面のみ等倍集約してカラー印刷する場合には、Ａ５カラー入力１枚なので、１０円となる。また、ＩＤカードの両面を等倍集約してカラー印刷する場合、Ａ５カラー入力２枚なので、２０円となる。また、ＩＤカードの両面を等倍集約して、表面をカラー、裏面をモノクロで印刷する場合、Ａ５カラー入力１枚、Ａ５モノクロ入力１枚なので、１０円＋５円＝１５円となる。また、ＩＤカードの両面および補足書類を、ＩＤカードについては等倍集約し、すべてカラーで印刷する場合、Ａ５カラー入力２枚＋Ａ４カラー入力１枚なので、１０円×２＋２０＝４０円となる。また、ＩＤカード両面および補足書類を、ＩＤカードについては等倍集約し、ＩＤカードの表面のみをカラーとして印刷する場合、Ａ５カラー入力１枚、Ａ５モノクロ入力１枚、Ａ４モノクロ入力１枚なので、１０＋５＋１０＝２５円となる。
【００５９】
このように用紙サイズ、カラー／モノクロの別に応じて課金することで適切な課金を行うことができる。
【００６０】
（変形例４）
図５に示すように、操作部１１１は試しコピーキー５０８を備える場合がある。通常は、試しコピーキー５０８を押下すると、出力結果を確認するために１枚だけコピーが実行されるように設定されている。これに対し、ＩＤカードコピーモード選択時は、試しコピーキー５０８を無効化することができる。この場合、図１５に示すように、試しコピーキー５０８が押下されると、試しコピーキーは使用できない旨のメッセージが表示部５０２に表示される。なお、ＩＤカードコピーモードしか実行しない画像形成装置であれば、試しコピーキー５０８そのものを省略すればよい。
【００６１】
なお、従来の画像形成装置においては、試しコピー機能がソート選択時のみ有効となるように構成されている場合もある。したがって、スタック選択時には試しコピーキーは無効化されている。上記各実施の形態において、ＩＤカードコピーモードは１枚の用紙に印刷出力を行うモードとして構成されているため、ＩＤカードコピーモードにおいては自動的にスタックが選択されるようにすることも考えられる。このように、ＩＤカードコピーとソートとの組み合わせができない構成をとる場合には、試しコピーの禁止制御は特に必要ない。
【００６２】
（変形例５）
上の変形例４のように、ＩＤカードコピーモード選択時には試しコピーキー５０８を無効とすると、出力画像を確認することはできない。そこで、表示部５０２でプレビュー表示を行ってもよい。すなわち、ＩＤカードコピーモード選択時には、読取終了後・印刷出力前に、表示部５０２にプレビュー画像が表示され、プレビュー画像表示画面から出力するか、キャンセルするかを選択できるようにするとよい（図１６参照）。
【００６３】
このように正しく個人認証できる印刷出力がなされることがプレビュー画像により確認された場合のみ、実際に印刷出力することにより、不必要な印刷による個人情報の流出、紙の無駄を防止することができる。
【００６４】
この場合、プレビュー表示指示用のキーを独立して設けてもよいし、ＩＤカードコピーモード選択時には、試しコピーキー５０８の押下がプレビュー画像表示のトリガとして機能するようにしてもよい。そうすると、印刷前に常にプレビュー画像表示が表示されるのではなく、ユーザが所望の場合のみ表示される。
【００６５】
また、常にプレビュー表示を行うか否かもユーザが初期設定等で選択するようにしてもよい。さらに、プレビュー表示が所定時間のみ行われるようにして、所定時間内に指示がない場合は、プレビュー表示された画像の印刷をキャンセルし画像を破棄するように設定してもよい。かかる構成はセキュリティ上好ましい。プレビュー表示の時間は、表示部の性能や機能に応じて設定してもよいし、ユーザが変更できるようにしてもよい。かかる構成によってプレビュー機能をより効果的に利用することができる。
【００６６】
上述した第１〜２の実施の形態の画像形成装置は、ＣＰＵなどの制御装置と、ＲＯＭ（Read Only Memory）やＲＡＭなどの記憶装置と、ＨＤＤ、ＣＤドライブ装置などの外部記憶装置と、ディスプレイ装置などの表示装置と、キーボードやマウスなどの入力装置とを備えた通常のコンピュータのハードウェア構成（図１に一部図示）を利用して実現することができる。
【００６７】
よって、第１〜２の実施の形態の画像形成装置で実行される画像形成プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供されてもよい。
【００６８】
また、第１〜２の実施の形態の画像形成装置で実行される画像形成プログラムを、インターネット等のネットワークに接続されたコンピュータ上に格納し、ネットワーク経由でダウンロードさせることにより提供するように構成しても良い。また、第１〜２の実施の形態の画像形成装置で実行される画像形成プログラムをインターネット等のネットワーク経由で提供または配布するように構成しても良い。
【００６９】
また、第１〜２の実施の形態の画像形成プログラムを、ＲＯＭ等に予め組み込んで提供するように構成してもよい。
【００７０】
第１〜２の実施の形態の画像形成装置で実行される画像形成プログラムは、上述した各部（読取手段、蓄積手段、集約手段等）を含むモジュール構成となっており、実際のハードウェアとしてはＣＰＵ（プロセッサ）が上記記憶媒体から画像形成プログラムを読み出して実行することにより上記各部が主記憶装置上にロードされ、読取手段、蓄積手段、集約手段等が主記憶装置上に生成されるようになっている。
【産業上の利用可能性】
【００７１】
本発明は、画像形成装置、画像形成方法および画像形成プログラムに有用であり、より詳しくは、失敗したコピーを印刷出力することなく、個人情報を含む原稿の集約コピーを確実に実行できる画像形成装置、画像形成方法および画像形成プログラムに適している。
【図面の簡単な説明】
【００７２】
【図１】第１の実施の形態の画像形成装置のブロック図である
【図２】図１に示す画像形成装置が備える画像読取部の詳細を示す図である。
【図３−１】図２に示す画像読取部が備える原稿ガラス上の読取領域を概括的に示す図である。
【図３−２】図２に示す画像読取部が備える原稿ガラス上のＡ４対応読取領域を概括的に示す図である。
【図３−３】図２に示す画像読取部が備える原稿ガラス上のＡ５対応読取領域を概括的に示す図である。
【図４−１】等倍集約の前の原稿と等倍集約後の印刷出力の例を示す図である。
【図４−２】等倍集約の前の原稿と等倍集約後の印刷出力の別の例を示す図である。
【図４−３】等倍集約の前の原稿と等倍集約後の印刷出力のさらに別の例を示す図である。
【図５】図１に示す画像形成装置が備える操作部の詳細を示す図である。
【図６】第１のコピーモードにおける処理手順の概要を示す図である。
【図７】第１のコピーモードにおける処理手順を示すフローチャートである。
【図８−１】第１のコピーモードにおける処理中の表示部の例を示す図である。
【図８−２】第１のコピーモードにおける処理中の表示部の別の例を示す図である。
【図９】第１の実施の形態の変形例１による処理手順を示すフローチャートである。
【図１０】第１の実施の形態の変形例１による、ＩＤカードの片面のみを印刷出力した例を示す図である。
【図１１】第２の実施の形態による、第２のコピーモードにおける処理手順を示すフローチャートである。
【図１２】第２の実施の形態において、ＩＤカードおよび補足書類を印刷出力した例を示す図である。
【図１３】第２の実施の形態の変形例１による処理手順を示すフローチャートである。
【図１４】画像形成装置の課金方式の例を示す図である。
【図１５】ＩＤカードコピーモード選択中は試しコピーを禁止する場合の表示画面の例を示す図である。
【図１６】プレビュー画面の表示例を示す図である。
【符号の説明】
【００７３】
１０  画像形成装置
１００  ＣＰＵバス
１０１  ＣＰＵ
１０２  ＲＯＭ
１０３  ＲＡＭ
１０４  ＲＡＭ制御部
１０５  スキャナエンジン
１０６  スキャナ制御部
１０７  画像読取部
１０８  画像処理部
１０９  課金部
１１０  ＵＡＲＴ
１１１  操作部
１１２  操作部Ｉ／Ｆ制御部
１１３  プリンタ制御部
１１４  プリンタエンジン
１１５  画像書込部
１１６  ＮＶＲＡＭ
２０１  圧板
２０２  原稿ガラス
２０３  露光ランプ
２０４、２０５、２０６  ミラー
２０７  レンズ
２０８  ＣＣＤ
２１１  ワイヤ
２１２  走行体
２１３  スキャナ画像処理部
２１４  モータ
【図１】
2010130561.tif 000003
【図２】
2010130561.tif 000004
【図３−１】
2010130561.tif 000005
【図３−２】
2010130561.tif 000006
【図３−３】
2010130561.tif 000007
【図４−１】
2010130561.tif 000008
【図４−２】
2010130561.tif 000009
【図４−３】
2010130561.tif 000010
【図５】
2010130561.tif 000011
【図６】
2010130561.tif 000012
【図７】
2010130561.tif 000013
【図８−１】
2010130561.tif 000014
【図８−２】
2010130561.tif 000015
【図９】
2010130561.tif 000016
【図１０】
2010130561.tif 000017
【図１１】
2010130561.tif 000018
【図１２】
2010130561.tif 000019
【図１３】
2010130561.tif 000020
【図１４】
2010130561.tif 000021
【図１５】
2010130561.tif 000022
【図１６】
2010130561.tif 000023